【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤と、
前記遊技領域に設けられ、遊技球が入賞可能な第１始動口と、
前記遊技領域に設けられ、遊技球が入賞し難い第１状態と入賞し易い第２状態とに作動し得る第２始動口と、
前記第１始動口または前記第２始動口に遊技球が入賞すると、遊技者にとって有利な特別遊技をおこなうか否かを判定する特別遊技判定手段と、
図柄が変動表示可能な図柄表示装置と、
前記図柄表示装置において図柄を変動表示させた後に、前記特別遊技判定手段による判定結果を示す判定図柄を停止表示させる図柄表示制御手段と、
前記特別遊技判定手段により前記特別遊技をおこなうと判定された場合、前記図柄表示制御手段により前記判定図柄が停止表示させられた後に、前記特別遊技をおこなう特別遊技実行手段と、
前記図柄表示制御手段が図柄を変動表示させているときに、前記第１始動口に遊技球が入賞すると、図柄を変動表示させる権利を保留して記憶する第１保留記憶手段と、
前記図柄表示制御手段が図柄を変動表示させているときに、前記第２始動口に遊技球が入賞すると、図柄を変動表示させる権利を保留して記憶する第２保留記憶手段と、
前記第２始動口が前記第２状態に作動し難い非特定遊技状態または前記第２状態に作動し易い特定遊技状態の何れかで遊技を制御可能な遊技状態制御手段と、
を備え、
前記特別遊技判定手段は、
前記第１始動口に遊技球が入賞したときよりも前記第２始動口に遊技球が入賞したときの方が遊技者にとって有利な特別遊技をおこなうと判定し、
前記図柄表示制御手段は、
前記第１保留記憶手段または前記第２保留記憶手段に記憶された前記権利に対する図柄を変動表示させる際に、前記第２保留記憶手段に記憶された前記権利に対する図柄を変動表示させる優先消化制御手段と、
前記第１保留記憶手段に記憶された前記権利に対する図柄の変動表示を前記図柄表示装置の所定領域に表示する第１図柄表示制御手段と、
を有し、
前記遊技状態制御手段は、
前記特別遊技実行手段による前記特別遊技の実行前に前記非特定遊技状態で遊技を制御可能な非特定遊技状態制御手段と、
前記特別遊技実行手段による前記特別遊技の実行終了後に前記特定遊技状態で遊技を制御可能な特定遊技状態制御手段と、
を有し、
前記第１図柄表示制御手段は、
前記特定遊技状態制御手段により前記特定遊技状態で遊技が制御されてから最初の図柄の変動表示である特殊変動か否かを判定する特殊変動判定手段を有し、
前記特殊変動判定手段により前記特殊変動であると判定されない場合には、前記図柄表示装置の所定領域において図柄を変動表示させ、前記特殊変動判定手段により前記特殊変動であると判定された場合には、前記図柄表示装置の所定領域において図柄を変動表示させないことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
この発明は、図柄の変動中または大当たり中に、始動口に入賞した遊技球を保留球として記憶する遊技機に関する。
【手続補正４】
【補正対象書類名】明細書
【補正対象項目名】００１２
【補正方法】変更
【補正の内容】
【００１２】
この発明は、上述した従来技術による問題点を解消するため、電チューサポート機能を有する大当たり終了直後の遊技において、遊技者にとって不利な抽選をおこなわないようにすることができる遊技機を提供することを目的とする。
【手続補正５】
【補正対象書類名】明細書
【補正対象項目名】００１３
【補正方法】変更
【補正の内容】
【００１３】
上述した課題を解決し、目的を達成するため、本発明は以下の構成を採用した。この発明にかかる遊技機は、遊技球が流下可能な遊技領域が形成された遊技盤と、前記遊技領域に設けられ、遊技球が入賞可能な第１始動口と、前記遊技領域に設けられ、遊技球が入賞し難い第１状態と入賞し易い第２状態とに作動し得る第２始動口と、前記第１始動口または前記第２始動口に遊技球が入賞すると、遊技者にとって有利な特別遊技をおこなうか否かを判定する特別遊技判定手段と、図柄が変動表示可能な図柄表示装置と、前記図柄表示装置において図柄を変動表示させた後に、前記特別遊技判定手段による判定結果を示す判定図柄を停止表示させる図柄表示制御手段と、前記特別遊技判定手段により前記特別遊技をおこなうと判定された場合、前記図柄表示制御手段により前記判定図柄が停止表示させられた後に、前記特別遊技をおこなう特別遊技実行手段と、前記図柄表示制御手段が図柄を変動表示させているときに、前記第１始動口に遊技球が入賞すると、図柄を変動表示させる権利を保留して記憶する第１保留記憶手段と、前記図柄表示制御手段が図柄を変動表示させているときに、前記第２始動口に遊技球が入賞すると、図柄を変動表示させる権利を保留して記憶する第２保留記憶手段と、前記第２始動口が前記第２状態に作動し難い非特定遊技状態または前記第２状態に作動し易い特定遊技状態の何れかで遊技を制御可能な遊技状態制御手段と、を備え、前記特別遊技判定手段は、前記第１始動口に遊技球が入賞したときよりも前記第２始動口に遊技球が入賞したときの方が遊技者にとって有利な特別遊技をおこなうと判定し、前記図柄表示制御手段は、前記第１保留記憶手段または前記第２保留記憶手段に記憶された前記権利に対する図柄を変動表示させる際に、前記第２保留記憶手段に記憶された前記権利に対する図柄を変動表示させる優先消化制御手段と、前記第１保留記憶手段に記憶された前記権利に対する図柄の変動表示を前記図柄表示装置の所定領域に表示する第１図柄表示制御手段と、を有し、前記遊技状態制御手段は、前記特別遊技実行手段による前記特別遊技の実行前に前記非特定遊技状態で遊技を制御可能な非特定遊技状態制御手段と、前記特別遊技実行手段による前記特別遊技の実行終了後に前記特定遊技状態で遊技を制御可能な特定遊技状態制御手段と、を有し、前記第１図柄表示制御手段は、前記特定遊技状態制御手段により前記特定遊技状態で遊技が制御されてから最初の図柄の変動表示である特殊変動か否かを判定する特殊変動判定手段を有し、前記特殊変動判定手段により前記特殊変動であると判定されない場合には、前記図柄表示装置の所定領域において図柄を変動表示させ、前記特殊変動判定手段により前記特殊変動であると判定された場合には、前記図柄表示装置の所定領域において図柄を変動表示させないことを特徴とする。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００２０
【補正方法】変更
【補正の内容】
【００２０】
以下に添付図面を参照して、この発明にかかる遊技機の好適な実施の形態１，２を詳細に説明する。